(57)【要約】  アンカー機構を備えた旅行用枕が開示される。旅行用枕は、ストラップなどのアンカー機構本体を備えたアンカー機構を含み得る。アンカー機構本体は、旅行用枕本体に、例えば、旅行用枕本体の背面部に取り付けられ得るか、代替的には、旅行用枕本体から取り外し可能であり得る。アンカー機構はまた、それ自体に再取り付けするか、又は旅行用枕本体のカバーなどの別の要素に取り付ける前に、アンカー機構本体が通ることができるループも含み得る。アンカー機構本体はまた、ユーザの頭及び／又は体が意図せず前に倒れることを防ぐか又はその可能性を低くするように、ヘッドレストウィングなどのヘッドレストの一部分の周囲に配置されることができる。
2020527097.tif 000002
【特許請求の範囲】
【請求項１】
旅行用枕であって、
枕本体と、
第１のアンカー機構本体と第１のループとを備える第１のアンカー機構と、ここで、前記第１のアンカー機構本体と前記第１のループとは、各々が前記枕本体に連結されており、
第２のアンカー機構本体と第２のループとを備える第２のアンカー機構と、ここで、前記第２のアンカー機構本体と前記第２のループとは、各々が前記枕本体に連結されている、
を備え、
前記第１及び第２のアンカー機構の各々は、実質的に垂直に配向され、
前記第１のアンカー機構本体は、前記第１のループを通りかつそれ自体に再連結されるように構成され、前記第２のアンカー機構本体は、前記第２のループのループを通りかつそれ自体に再連結されるように構成される、
旅行用枕。
【請求項２】
前記第１及び第２のアンカー機構本体は、前記第１及び第２のループが前記枕本体に取り付けられている場所の上部で前記枕本体に取り付けられる、請求項１に記載の旅行用枕。
【請求項３】
前記第１及び第２のアンカー機構本体は、前記枕本体の頂部で前記枕本体に取り付けられ、前記第１及び第２のループは、前記枕本体の底部で前記枕本体に取り付けられる、請求項１に記載の旅行用枕。
【請求項４】
前記第１及び第２のアンカー機構本体と、前記第１及び第２のループとは、前記枕本体の背面部に取り付けられる、請求項１に記載の旅行用枕。
【請求項５】
前記アンカー機構本体の各々の２つの留め具をさらに備え、前記第１及び第２のアンカー機構本体の各々は、それらそれぞれの２つの留め具が互いに連結することができるように、前記第１及び第２のループのうちの１つを通るように構成される、請求項１に記載の旅行用枕。
【請求項６】
前記留め具は、面留め具である、請求項５に記載の旅行用枕。
【請求項７】
前記枕本体は、１つ又は複数の後壁、２つ以上の側壁、及び２つ以上の湾曲移行壁を含み、前記アンカー機構本体の各々は、前記後壁の少なくとも１つと、前記湾曲移行壁の少なくとも１つに取り付けられる、請求項１に記載の旅行用枕。
【請求項８】
前記第１のアンカー機構本体及び前記第２のアンカー機構本体は、弾性である、請求項１に記載の旅行用枕。
【請求項９】
前記第１のアンカー機構本体及び前記第２のアンカー機構本体の各々は、ストラップである、請求項１に記載の旅行用枕。
【請求項１０】
前記第１のアンカー機構本体及び前記第２のアンカー機構本体の各々は、長さが６インチと１６インチとの間である、請求項９に記載の旅行用枕。
【請求項１１】
前記第１のアンカー機構本体及び前記第２のアンカー機構本体の各々は、長さが１／２インチと３インチとの間である、請求項９に記載の旅行用枕。
【請求項１２】
旅行用枕カバーであって、
カバー本体と、
２つの垂直に配向されたアンカー機構本体と
を備え、前記アンカー機構本体の各々は、それぞれの静止取り付け点で前記カバー本体に取り付けられ、
前記アンカー機構本体の各々は、そのそれぞれの静止取り付け点から、それ自体に又は前記カバー本体に取り付ける前に、シートバックヘッドレストウィングの周囲を通るように構成される、
旅行用枕カバー。
【請求項１３】
前記カバー本体に取り付けられた２つのループをさらに備え、前記アンカー機構本体の各々は、それ自体に又は前記カバー本体に取り付ける前に、前記ループのうちの１つを通るように構成される、請求項１２に記載の旅行用枕カバー。
【請求項１４】
前記静止取り付け点は、前記ループが前記カバー本体に取り付けられ得る場所の上部にある、請求項１３に記載の旅行用枕カバー。
【請求項１５】
前記アンカー機構本体の各々の２つの留め具をさらに備え、前記アンカー機構本体の各々の２つの留め具は、互いに遠位にある、請求項１２に記載の旅行用枕カバー。
【請求項１６】
前記アンカー機構本体の各々の前記２つの留め具は、互いに連結されるように構成される、請求項１５に記載の旅行用枕カバー。
【請求項１７】
前記カバー本体に取り付けられた２つのループをさらに備え、前記アンカー機構本体の各々は、前記ループのうちの１つを通るように構成される、請求項１６に記載の旅行用枕カバー。
【請求項１８】
前記アンカー機構本体は、弾性ストラップである、請求項１７に記載の旅行用枕カバー。
【請求項１９】
前記アンカー機構本体の各々は、前記カバー本体の背面部に少なくとも部分的に取り付けられる、請求項１２に記載の旅行用枕カバー。
【請求項２０】
旅行用枕であって、
形状記憶コアと、
前記形状記憶コア上のカバーと
を備える旅行用枕本体と、
前記カバーに少なくとも部分的に取り付けられた第１のアンカー機構と、ここで、前記第１のアンカー機構は、
前記カバーに取り付けられた第１のアンカー機構本体と、
前記カバーに取り付けられた第１のループと、
を備え、前記第１のアンカー機構本体は、それ自体に再取り付けする前に前記第１のループを通るように構成され、
前記カバーに少なくとも部分的に取り付けられた第２のアンカー機構と、ここで、前記第２のアンカー機構は、
前記カバーに取り付けられた第２のアンカー機構本体と、
前記カバーに取り付けられた第２のループと、
を備え、前記第２のアンカー機構本体は、それ自体に再取り付けする前に前記第２のループを通るように構成される、
を備え、
前記第１及び前記第２のアンカー機構本体は、互いに少なくともわずかに外向きに角度が付けられ、かつ互いに離れている、旅行用枕。
【請求項２１】
前記第１のアンカー機構本体は、前記カバーの第１の継ぎ目で前記カバーの頂部に取り付けられ、前記第１のループは、前記カバーの第２の継ぎ目で前記カバーの底部に取り付けられ、前記第２のアンカー機構本体は、前記カバーの前記第１の継ぎ目で前記カバーの前記頂部に取り付けられ、前記第２のループは、前記カバーの前記第２の継ぎ目で前記カバーの前記底部に取り付けられる、請求項２０に記載の旅行用枕。
【発明の詳細な説明】
【技術分野】
【０００１】
[0001]  本特許出願は、Sternlight他に付与され２０１７年７月１１日付で出願された「Travel Pillow with Anchoring Features」と題する米国仮特許出願第６２／５３１，２７８号、Sternlight他に付与され２０１７年１０月１２日付で出願された「Travel Pillow with Anchoring Features」と題する米国仮特許出願第６２／５７１，７８５号、Sternlight他に付与され２０１７年１０月１９日付で出願された「Travel Pillow with Anchoring Features」と題する米国仮特許出願第６２／５７４，３６６号、及びSternlight他に付与され２０１８年２月２５日付で出願された「Travel Pillow with Anchoring Features」と題する米国特許出願第１５／９０４，４００号の優先権を主張する。これら出願の各々は、全体が参照により本明細書に十分に組み込まれており、その明細書、特許請求の範囲、及び図面を含むが、これらに限定されない。
【０００２】
[0002]  本開示は、一般に、旅行用枕及びクッションに関し、より具体的には、座席又はヘッドレストに固定又は取り付けるための機能を含む旅行用枕及びクッションに関し、さらにより具体的には、旅行用枕又はクッションをヘッドレストに固定するためにヘッドレストの一部にループさせる本体を備えたアンカー機構を含む旅行用枕及びクッションに関する。
【背景技術】
【０００３】
[0003]  旅行用枕は、飛行機の乗客及びその他の旅行者によって、ユーザの首及び頭に対する支持を提供するために使用されている。例えば、同一譲受人に譲渡された、Sternlight他に付与された米国特許第９，６３５，９６２号に旅行用枕の例が説明されており、いくつかの実施形態では、相互に同一平面上にありかつ実質的にフラットな後壁を有するベース及び隆起型クッションを備えた枕を説明する。Wong他に付与された国際公開第２０１５／１３８６５４号、及びWong他に付与された米国特許出願公開第２０１７／００８６６０７号、これら出願の各々は、その全体が参照により本明細書に十分に組み込まれている。
【０００４】
[0004]  多くの先行技術の旅行用枕は、ユーザの頭に対して支持を提供するが、ユーザの体が前に倒れることは防止しない。この問題を解消する目的で、Blybergに付与された米国特許第９，４１４，６９１号は、固いフックを備えたコードのシステムによって、飛行機の座席のヘッドレストなどのヘッドレストに旅行用枕をアンカーするためのデバイスを記載している。しかしながら、このようなシステムは、旅行には不便で扱いにくく、さらに、不安定になる可能性のある方法で旅行用枕の脚部の周囲にコードをループさせる必要がある。O’Connorに付与された米国特許出願公開第２００５／０１７９３００号もまた、同様に扱いにくいシステムによってヘッドレストに取り付けられ得るヘッドレストシステムを記載している。McNairに付与された米国特許第６，４３５，６１７号は、ネックレストをヘッドレストに取り付けるためのストラップを備えたシステムを記載しているが、そのストラップは緩んで再調整が必要となり得るスイベル上にあり、デバイスは、動作可能にするためのボルト又はピンによってクッションに取り付けられた大きなプレートを含んでいる。Chowに付与された米国特許第５，５４４，３７８号、及びMontuoreに付与された第７，９３８，４９１号は、締め付けるのが難しく時間がかかり得るベルト状のストラップを含んでいる。
【０００５】
[0005]  現代の飛行機の座席のヘッドレストは、しばしば、ユーザの頭の側面を支持しようとする試みで設計されたウィング部分を含む。場合によっては、そのヘッドレストウィングは、それを内側へと自分の頭の方に回転させてユーザがより近くで頭を支えることができるように、位置が調整可能である。ウィング１４を有するヘッドレスト１２を含む座席１０の一例が、図４２の一部として示されている。
【発明の概要】
【０００６】
[0006]  本開示は、一般に、ウィングを含む飛行機のヘッドレストなどの座席又はヘッドレストに固定するための機能を含む旅行用枕に関する。
【０００７】
[0007]  本開示による旅行用枕の一実施形態は、カバーを含む本体を含む。旅行用枕は、各々がストラップなどのアンカー機構本体を含む、２つのアンカー機構をさらに含む。アンカー機構本体は、枕本体のカバー及び／又は背面部分などの枕本体に取り付けられる。アンカー機構は各々、枕本体のカバー及び／又は背面部分などの枕本体にも取り付けられるループ又は連結機構をさらに含む。アンカー機構本体の各々は、それぞれ１つのループ又は連結機構を通るか、ループさせるか、又はそうでなければ連結させることができ、次いで、シートバックヘッドレストウィングにループさせることができる。アンカー機構は次いで、Ｖｅｌｃｒｏ（登録商標）によって提供されるものなどの面留め具のような留め具を使用してそれ自体に連結することができる。代替の構成では、各アンカー機構本体は、それ自体に代わって別のアンカー機構本体に連結し得る、及び／又はアンカー機構本体は、最初にループ又は連結機構を通さずにそれ自体に連結し得る。
【０００８】
[0008]  本開示による旅行用枕カバーの一実施形態は、カバー本体と、それぞれの静止取り付け点でカバー本体に各々が取り付けられた２つの垂直に配向されたアンカー機構本体とを含む。アンカー機構本体の各々は、それ自体又はカバー本体に取り付ける前に、シートバックヘッドレストウィングの周囲を通るように構成される。
【０００９】
[0009]  本開示による旅行用枕の別の実施形態は、形状記憶コアと形状記憶コア上のカバーとを有する旅行用枕本体を含む。旅行用枕はまた、カバーに少なくとも部分的に取り付けられた第１及び第２のアンカー機構を含み、アンカー機構は、カバーに取り付けられたアンカー機構本体、並びにカバーに取り付けられたループを各々含む。アンカー機構本体の各々は、それぞれ１つのループを通り、それ自体が閉じたループを形成するようにそれ自体に再取り付けするように構成される。第１及び第２のアンカー機構本体は、平行かつまっすぐ後方に向いているのとは対照的に、少なくともわずかに外向きに角度が付けられ、かつ互いに離れている。
【００１０】
[0010]  本開示による旅行用枕の別の実施形態は、旅行用枕本体と、該本体の背面部に取り付けられた２つの垂直に配向されたアンカー機構本体とを含み、該アンカー機構本体の各々は、シートバックヘッドレストウィングにループさせるためのループを形成するように構成される。
【００１１】
[0011]  本開示による旅行用枕の別の実施形態は、カバーを備える本体を含み、該カバーは、４つのループを備え、２つの垂直に配向されたアンカー機構本体をさらに含む。各アンカー機構本体は、２つのループを通るように構成される。
【００１２】
[0012]  本開示による旅行用枕の別の実施形態は、形状記憶コアと形状記憶コア上のカバーとを含む。カバーは、第１及び第２の領域を含むことができ、第２の領域は、繊維を含む複合材料からなる。
【００１３】
[0013]  本開示のこれら及び他のさらなる特徴及び利点は、添付された図面と併せて、以下の詳細な説明から当業者には明らかとなるだろう。
【図面の簡単な説明】
【００１４】
【図１】[0014]  図１は、本開示による旅行用枕の一実施形態の正面斜視図である。
【図２】[0015]  図２は、図１に示された旅行用枕の背面斜視図である。
【図３】[0016]  図３は、図１に示された旅行用枕の正面図である。
【図４】[0017]  図４は、図１に示された旅行用枕の背面図である。
【図５】[0018]  図５は、図１に示された旅行用枕の左側面図である。
【図６】[0019]  図６は、図１に示された旅行用枕の右側面図である。
【図７】[0020]  図７は、図１に示された旅行用枕の上面図である。
【図８】[0021]  図８は、図１に示された旅行用枕の底面図である。
【図９】[0022]  図９は、図１に示された旅行用枕の第２の構成における正面斜視図である。
【図１０】図１０は、図１に示された旅行用枕の第２の構成における背面斜視図である。
【図１１】図１１は、図１に示された旅行用枕の第２の構成における正面図である。
【図１２】図１２は、図１に示された旅行用枕の第２の構成における背面図である。
【図１３】図１３は、図１に示された旅行用枕の第２の構成における左側面図である。
【図１４】図１４は、図１に示された旅行用枕の第２の構成における右側面図である。
【図１５】図１５は、図１に示された旅行用枕の第２の構成における上面図である。
【図１６】図１６は、図１に示された旅行用枕の第２の構成における底面図である。
【図１７Ａ】[0023]  図１７Ａは、第１及び第２の構成おける、ヘッドレストとともに使用されている状態を示している、図１に示された旅行用枕の正面斜視図である。
【図１７Ｂ】図１７Ｂは、第１及び第２の構成おける、ヘッドレストとともに使用されている状態を示している、図１に示された旅行用枕の正面斜視図である。
【図１８】[0024]  図１８は、図１に示された旅行用枕の要素の特定の組み合わせを示す、正面斜視図である。
【図１９】図１９は、図１に示された旅行用枕の要素の特定の組み合わせを示す、背面斜視図である。
【図２０】図２０は、図１に示された旅行用枕の要素の特定の組み合わせを示す、正面図である。
【図２１】図２１は、図１に示された旅行用枕の要素の特定の組み合わせを示す、背面図である。
【図２２】図２２は、図１に示された旅行用枕の要素の特定の組み合わせを示す、左側面図である。
【図２３】図２３は、図１に示された旅行用枕の要素の特定の組み合わせを示す、右側面図である。
【図２４】図２４は、図１に示された旅行用枕の要素の特定の組み合わせを示す、上面図である。
【図２５】図２５は、それぞれ、図１に示された旅行用枕の要素の特定の組み合わせを示す底面図である。
【図２６】[0025]  図２６は、図１に示された旅行用枕の要素の別の特定の組み合わせを示す、正面斜視図である。
【図２７】図２７は、図１に示された旅行用枕の要素の別の特定の組み合わせを示す、背面斜視図である。
【図２８】図２８は、図１に示された旅行用枕の要素の別の特定の組み合わせを示す、正面図である。
【図２９】図２９は、図１に示された旅行用枕の要素の別の特定の組み合わせを示す、背面図である。
【図３０】図３０は、図１に示された旅行用枕の要素の別の特定の組み合わせを示す、左側面図である。
【図３１】図３１は、図１に示された旅行用枕の要素の別の特定の組み合わせを示す、右側面図である。
【図３２】図３２は、図１に示された旅行用枕の要素の別の特定の組み合わせを示す、上面図である。
【図３３】図３３は、図１に示された旅行用枕の要素の別の特定の組み合わせを示す、底面図である。
【図３４】[0026]  図３４は、本開示による旅行用枕の別の実施形態の正面斜視図である。
【図３５】図３５は、本開示による旅行用枕の別の実施形態の背面斜視図である。
【図３６】図３６は、本開示による旅行用枕の別の実施形態の正面図である。
【図３７】図３７は、本開示による旅行用枕の別の実施形態の背面図である。
【図３８】図３８は、本開示による旅行用枕の別の実施形態の左側面図である。
【図３９】図３９は、本開示による旅行用枕の別の実施形態の右側面図である。
【図４０】図４０は、本開示による旅行用枕の別の実施形態の上面図である。
【図４１】図４１は、本開示による旅行用枕の別の実施形態の底面図である。
【図４２】[0027]  図４２は、本開示による旅行用枕の別の実施形態の正面斜視図である。
【図４３Ａ】[0028]  図４３Ａは、本開示による旅行用枕のさらに別の実施形態の斜視図である。
【図４３Ｂ】図４３Ｂは、本開示による旅行用枕のさらに別の実施形態の斜視図である。
【図４４Ａ】[0029]  図４４Ａは、本開示による旅行用枕のさらに別の実施形態の斜視図である。
【図４４Ｂ】図４４Ｂは、本開示による旅行用枕のさらに別の実施形態の斜視図である。
【図４５】[0030]  図４５は、本開示による旅行用枕のさらに別の実施形態の斜視図である。
【図４６Ａ】[0031]  図４６Ａは、本開示による旅行用枕のさらに別の実施形態の斜視図である。
【図４６Ｂ】図４６Ｂは、本開示による旅行用枕のさらに別の実施形態の斜視図である。
【図４７Ａ】[0032]  図４７Ａは、本開示による旅行用枕のさらに別の実施形態の斜視図である。
【図４７Ｂ】図４７Ｂは、本開示による旅行用枕のさらに別の実施形態の斜視図である。
【図４８Ａ】[0033]  図４８Ａは、本開示による旅行用枕のさらに別の実施形態の斜視図である。
【図４８Ｂ】図４８Ｂは、本開示による旅行用枕のさらに別の実施形態の斜視図である。
【図４９Ａ】[0034]  図４９Ａは、本開示による旅行用枕のさらに別の実施形態の斜視図である。
【図４９Ｂ】[0034]  図４９Ｂは、本開示による旅行用枕のさらに別の実施形態の斜視図である。
【発明の詳細な説明】
【００１５】
[0035]  本開示は、アンカー機能を含む旅行用枕を記載している。アンカー機能は、ユーザの体が前に倒れることなどによって、ユーザの頭がヘッドレストから離れて前に倒れることを防ぐか又はその可能性を低くするように、旅行用枕をシートバックヘッドレストに連結することができる。アンカー機能は、例えば、枕本体の背面部又は他の場所に取り付けられた１つ又は複数のアンカー機構によって提供され得る。これらのアンカー機構は、枕をヘッドレストに固定するために、ヘッドレストウィングにループさせる本体を含むことができる。アンカー機構は、実質的に垂直に配向されることができる。
【００１６】
[0036]  本開示は、特定の実施形態を参照して本明細書に記載されるが、本開示が多くの異なる形態で具現化され得ることが理解され、本明細書に記載される実施形態に限定されると解釈されるべきではない。本明細書のデバイス及び要素は、示されたものとは異なる形状及びそれを超えるサイズを有してもよい。層、領域、ケース、カバー、フレームなどの特徴又は要素、若しくは別の方法が別の要素の「上」にあることを指すとき、それが他の要素の上に直接存在し得るか、又は介在要素が存在し得ることを理解されたい。さらに、「内側」、「外側」、「上（upper）」、「上（above）」、「下（lower）」、「下（beneath）」、及び「下（below）」などの相対的な用語、及び同様の用語は、本明細書では１つの要素と別の要素との関係を説明するために使用され得る。これらの用語は、図に描かれた方向に加えて、デバイスの様々な方向を含むことを意図していると理解されたい。
【００１７】
[0037]  第１の、第２のなどの用語が、例えば、様々な要素、構成要素、領域、層、及び／又はセクションを説明するために本明細書で使用され得るが、これらの要素、構成要素、領域、層、及び／又はセクションは、これらの用語によって限定されるべきではない。これらの用語は、ある要素、構成要素、領域、層、又はセクションを、別の要素、構成要素、領域、層、又はセクションと区別するためにのみ使用される。よって、以下で説明する第１の要素、構成要素、領域、層、又はセクションは、本開示の教示から逸脱することなく、第２の要素、構成要素、領域、層、又はセクションと呼ばれることができる。
【００１８】
[0038]  そうではないと文脈が明確に要求しない限り、説明及び特許請求の範囲を通して、「備える（comprise）」、「備える（comprising）」などの語句は、排他的又は網羅的な意味とは対照的に包括的な意味で解釈される。すなわち、「それらを含むが、それらに限定されない」という意味である。単数又は複数を使用する語句は、それぞれ複数又は単数も含んでいる。「各々」という語句が要素を指すために使用されたとき、それは必ずしも複数の要素を意味するわけではなく、単数の要素を意味する場合もある。
【００１９】
[0039]  図１〜図８は、本開示による枕１００の図を示し、図９〜図１６は、開いた状態のアンカー機構を備えた第２の構成における枕１００を示し、図１７Ａ及び図１７Ｂは、ヘッドレスト１２に取り付けられた枕１００を示している。枕１００は、形状記憶コアなどのその中のコアを部分的に又は完全に覆うカバー１０３を含み得る旅行用枕本体１０２を備える。いくつかの実施形態では、旅行用枕本体１０２はカバー１０３を有していない。本開示の図によって示される形状は、カバーを有する、又はカバーを有していない本体の形状（例えば、形状記憶コアの形状）であり得る。旅行用枕本体１０２は、実質的にフラットな後壁１０４などの、Sternlight他に付与された米国特許第９，６３５，９６２号に記載されている多くの特徴を含み得るが、本開示の実施形態が、Wong他に付与された国際公開第２０１５／１３８６５４号、及びWong他に付与された米国特許出願公開第２０１７／００８６６０７号に記載されたもののような、多くの異なるスタイルの旅行用枕本体を含むことができることを理解されたい。旅行用枕本体１０２はまた、２つの引き紐半体１４０などの、脚部１０６を互いにまとめる又は近づけるための機構と、Wong他に付与された米国特許第９，６３５，９６２号又は米国特許出願公開第２０１７／００８６６０７号に記載されるものなどの、及び図３に示され以下で十分に説明される、シンチ機構（cinch mechanism）１４２などの留め具とを含むことができる。
【００２０】
[0040]  図２は、枕１００の背面斜視図を示す。枕１００は、ベース及び隆起部分又はクッション１０２ａ、１０２ｂ（本明細書では簡潔化のために「部分」と呼ぶ）を含むことができる。ベース部分１０２ａ及び隆起部分１０２ｂは、ベース及び隆起した後壁１０４ａ、１０４ｂを含むことができ、枕１０４の実質的にフラットな後壁は、ベース及び隆起した後壁１０４ａ、１０４ｂの一方又は両方の一部又は全てによって形成される。一実施形態では、ベース及び隆起した後壁１０４ａ、１０４ｂは、相互に同一平面上にあり、枕本体１０２の実質的にフラットな後壁１０４を形成するように組み合わせられる。枕本体１０２は、ベース及び隆起した側壁１１４ａ、１１４ｂを含むことができるいくつかの実施形態では、枕本体１０２はまた、ベース及び隆起した側壁１１４ａ、１１４ｂとベース及び隆起した後壁１０４ａ、１０４ｂとの間にベース及び湾曲した湾曲移行壁１１６ａ、１１６ｂを含むことができる。上記は枕本体のベース及び隆起部分について議論する一方、後壁、側壁、及び湾曲移行壁を含む枕本体を含むがこれらに限定されない、明確に識別されたベース及び隆起部分のない枕本体が可能であることが理解される。
【００２１】
[0041]  枕１００は、枕１００をヘッドレストウィングなどのヘッドレストにアンカーする役割を果たすことができる２つのアンカー機構１１２を含む。アンカー機構１１２は、アンカー機構本体１２０を含むことができる。本開示によるアンカー機構１１２は、アンカー機構本体１２０などの延長されたアンカー機構本体を含むことができる。例えば、アンカー機構本体は、長さ１インチから２４インチ、又は長さ２インチから２０インチ、又は長さ６インチから１６インチ、又は長さ８インチから１４インチ、又は長さ約１１インチであり得る。本開示によるアンカー機構本体１２０は、例えば、幅１／４インチから４インチ、幅１／２インチから３インチ、又は幅１インチから２インチ、又は幅約１．５インチであり得る。アンカー機構本体１２０は、多くの異なる材料からなり、多くの異なる形状をとることができる。アンカー機構本体１２０は、例えば、ストラップ（図示されるような）、コード、紐、ロープ、又は当技術分野で知られている他の可撓性のある、剛性若しくは非剛性のデバイスであり得る。アンカー機構本体１２０は、弾性又は非弾性であり得、布、コード、紐、ロープ、ナイロン、ポリコード、ゴム、ポリエステル、パラシュートコード、ウェビング、又は当該分野で知られている他のデバイス及び材料であり得る。アンカー機構本体１２０が弾性である実施形態では、それらは、旅行用枕１００をヘッドレストにより良く固定するために、例えば、ヘッドレストの一部の周囲で自己締め付けされることができる。
【００２２】
[0042]  図７に示されかつ最もよく見られる特定の実施形態では、アンカー機構１１２は、（１）後壁１０４、及び（２）湾曲移行壁１１６の両方の部分にわたるような方法で取り付けられており、それらが、枕本体１０２の背面部に部分的に、および枕本体１０２の湾曲した移行部に部分的に取り付けられることを意味している。示された特定の実施形態におけるアンカー機構１１２は、（図７の軸状の破線で示されるような）まっすぐ後方に向いているのとは対照的に、（図７に矢印で示されるように）わずかに外向きに角度が付けられ、かつ互いに離れている。この構成は、最近のシートバックヘッドレストウィングへの取り付けに特に有用であり得る。一実施形態では、アンカー機構１１２及び／又はアンカー機構本体１２０は、後壁１０４ａ、１０４ｂにのみ取り付けられ、及び／又は実質的にまっすぐ後方に角度が付けられている。他の実施形態では、アンカー機構１１２及び／又はアンカー機構本体１２０及びそれらの構成要素は、ベース及び／又は隆起した湾曲移行壁１１６ａ、１１６ｂにのみ取り付けられる。
【００２３】
[0043]  いくつかの実施形態では、アンカー機構本体１２０は、隆起した後壁１０４ｂに及び／又は枕本体１０２の頂部に取り付けられ、アンカー機構１１２はまた、図示されるように、ベース後壁１０４ａに及び／又は枕本体１０２の底部に（直接又は間接的に）取り付けられるループ１２６を含む。アンカー機構本体１２０の上方にループ１２６が取り付けられた、逆の構成も可能である。図４に示されかつ最もよく見られる実施形態では、アンカー機構１１２は、実質的に垂直に配向され、アンカー機構本体１２０とループ１２６とは、実質的に互いに真上又は真下に取り付けられる。他の実施形態では、アンカー機構１１２及び／又はアンカー機構本体１２０は、正確にまっすぐ垂直ではないが、代わりに上から下までが互いに近接しているか、又は上から下までが互いから上下に離れている。いくつかの実施形態では、アンカー機構１１２及び／又はアンカー機構本体１２０は、斜め又は実質的に水平であり得る。図示されるような取り付け点１１８は、本体１０２の上部にあるが、それらはベース及び隆起部分１０２ａ、１０２ｂとの間の接合部などの他の場所に配置され得ることが理解される。同様に、ループ１２６は、ベース部分１０２ａの底部に取り付けられているように示されるが、ベース及び隆起部分１０２ａ、１０２ｂとの間の接合部などの他の場所に配置され得ることが理解される。本明細書に記載される取り付け点１１８及び他の取り付け点は、縫い付けることなどによって、取り付け点で取り付けられるアンカー機構本体の部分がカバーに対して実質的に動かない、及び／又はカバーのその部分に永久的に取り付けられるという点で、固定状態である。他の実施形態では、取り付け点１１８は移動可能であり得る。
【００２４】
[0044]  アンカー機構１１２は、留め具１２２を含むことができる（図示される実施形態では、本明細書では留め具１２２と総称される留め具１２２ａ、１２２ｂを含む）。留め具１２２は、例えば、Ｖｅｌｃｒｏ（登録商標）によって提供されるものなどの面留め具であり得る。本明細書で使用されるように、単一の「留め具」は、連結する対応した構成要素とともに利用されるように設計された１つの構成要素を指し得る（例えば、ベルクロ連結のフック部分は、ループ部分と同様に留め具である）。アンカー機構本体１２０がそれ自体及び他のタイプの機械的留め具にくっつく又はそうでなければ取り付けることを可能にする留め具を含むがそれらに限定されない、多くの他のタイプの留め具が可能である。例えば、スナップ連結又は接着剤を含む留め具が可能である。本開示による留め具１２２は、上述のアンカー機構本体幅と同じか、又はより狭い幅を有し得、一実施形態では、それらそれぞれのアンカー機構本体とほぼ同じ幅を有し、別の実施形態では、それらそれぞれのアンカー機構本体よりもわずかに狭い幅を有する。留め具１２２は、例えば、３／４インチから４インチ、又は１／２インチから３インチ、又は１インチから２インチ、又は１インチから１〜１５／１６インチ、又は約１〜３／８、又は約１．５インチの幅を有することができる。留め具１２２は、例えば、３／４インチから４インチ、又は１／２インチから３インチ、又は１インチから２インチ、又は１インチから１−１５／１６インチ、又は約１〜３／８インチ、又は約１．５インチの長さを有することができる。
【００２５】
[0045]  各アンカー機構本体１２０上の１つの留め具１２２ａは、そのそれぞれの取り付け点１１８に近接、隣接、及び／又は接触することができる。留め具１２２ａは、外に向いている（すなわち、旅行用枕本体１０２から見て外方に向いている）ことができる。別の留め具１２２ｂ（図９に示される）は、各アンカー機構本体１２４の端部に近接及び／又は隣接することができ、留め具１２２ｂは、留め具１２２ａから遠位にあり、それにより、ヘッドレストウィングにループさせるためのループを形成するために、その間に適切な長さのアンカー機構本体を提供することができる。留め具１２２ｂは次いで、アンカー機構本体１２０がループを形成するように留め具１２２ａに留められ得、例えば、ヘッドレストの一部分の周囲に固定／ループさせることができる。アンカー機構本体１２０は、この構成においてピンと張った状態及び／又は引き伸ばされた状態にすることができる。別の構成では、アンカー機構本体１２０の各々の留め具１２２ｂは、「Ｘ」又はクロスパターンを形成することができるように、他のアンカー機構本体１２０の留め具１２２ａに連結することができ、旅行用枕１００と座席又はヘッドレストとの間でさらなる安全な連結を提供することができる。本開示全体の留め具１２２ａ及び他の同様の留め具は、アンカー機構本体１２０などのそれらそれぞれのアンカー機構本体に沿って示されているが、それらは旅行用枕本体１０２（例えば、カバー１０３）上などの、より具体的には、取り付け点１１８付近の旅行用枕本体１０２（例えば、カバー１０３）上などの、他の位置に配置され得ることが理解される。
【００２６】
[0046]  上述したように、旅行用枕１００はまた、ループ１２６などの連結デバイス（本明細書では簡潔化のために「ループ」と呼ぶ）も含むことができる。ループ１２６は、例えば、Ｄループ（図示されるような）又は他のタイプの閉じたループであり得る。開いたループ（例えば、Ｃ形状）もまた可能であり、枕本体１０２又は別のデバイスがループを閉じるように（例えば、Ｄ形状又はＯ形状を形成するように）動作する。いくつかの実施形態では、ループ１２６は、カラビナ又は同様のデバイスなどの、開くことが可能な閉じたループである。ループ１２６は、本体１０２に直接取り付けられ得るか、又は代替的に、補助的連結デバイス１２８などの補助的連結デバイスが使用され得る。図示された実施形態では、補助的連結デバイス１２８は伸縮性があり、弾性であり、及び／又は非剛性であり、一方ループ１２６は剛性である。多くの異なる実施形態が可能であることが理解される。いくつかの他の実施形態では、剛性ループ及び／又は補助的接続デバイスは、取り外し可能なアンカー機構本体とともに使用されることができる。
【００２７】
[0047]  任意の数のループを備えた実施形態が可能である：例えば、合計又はアンカー機構ごとに１つのループ、合計又はアンカー機構ごとに２つのループ、合計又はアンカー機構ごとに３つのループ、合計又はアンカー機構ごとに４つのループ、又はそれ以上の数を有する実施形態が全て可能である。ループ１２６は、例えば、布、コード、紐、ロープ、ナイロン、ポリコード、ゴム、弾性ゴム、ポリエステル、パラシュートコード、ウェビング、プラスチック、複合材料、金属、又は当技術分野で知られている他のデバイス及び材料であり得る。ループ１２６などのループは、旅行用枕カバーと同じ材料であっても、異なる材料であってもよい。例えば、ある特定の実施形態では、それらは、旅行用枕カバーの材料よりも裂けたり破れたりする可能性が低い構造的に強い材料であり得る。
【００２８】
[0048]  図１７Ａ及び図１７Ｂに示されるように、各アンカー機構１１２は、１つ又は複数のループ１２６を含むことができる。各アンカー機構本体１２０は、ループ１２６を通り、例えば、図１７Ａに示されるように留め具１２２によってそれ自体に取り付けるなどのように、取り付けることができる。代替的には、図１７Ｂに示されるように、アンカー機構本体１２０は、留め具１２２が互いに連結される（又はそうでなければ、ループが閉じられる）前にループ１２６を通らない。これは、枕本体１０２が比較的低い位置で静止する構成をもたらし得、これは、短時間ユーザに対して有利であり得る。さらに、前述のように、これらの構成の両方で、アンカー機構本体は、図示された従来の構成の代わりに「Ｘ」又はクロス構成で構成され得る。本開示の特定の実施形態は、ループ１２６を含まない。
【００２９】
[0049]  旅行用枕１００のアンカー機構１１２及び／又はアンカー機構本体１２０は、（取り付け点１１８の内縁から内縁まで）互いに約１インチ以上離れて、又は互いに約２インチ以上離れて、又は互いに約３インチ以上離れて、又は互いに約４インチ以上離れて、又は互いに約５インチ以上離れて、又は互いに約６インチ以上離れて、又は互いに約８インチ以上離れて配置されることができる；若しくは、互いに約１インチから１０インチ離れて、又は互いに約２インチから８インチ離れて、又は互いに約３インチから６インチ離れて、又は互いに約４インチから５インチ離れて、又は互いから約４．７５インチに配置されることができる；若しくは、互いに約１５インチ以下離れて、又は互いに約１２インチ以下離れて、又は互いに約１０インチ以下離れて、互いに約８インチ以下離れて、互いに約６インチ以下離れて、互いに約５インチ以下離れて、互いに約３インチ以下離れて配置されることができる。これらの範囲外の測定を伴う実施形態が可能であることが理解される。他の実施形態では、アンカー機構１１２及び／又はアンカー機構本体１２０は、間隔が約１インチ未満であり、Ｘパターンなどで互いに隣接又は重なり合うことができる。ループ１２６は、同様に互いに上記距離だけ離れて配置されることができる。ループ１２６に対する取り付け点１１８の横方向の配置は、ループ１２６の配置の内側、ループ１２６の配置のわずかに内側、ループ１２６の配置の真上、ループ１２６の配置のわずかに外側、又はループ１２６の配置外であり得る。
【００３０】
[0050]  図示された実施形態では、ループ１２６が取り付け点１１８の上にあるのとは対照的に、取り付け点１１８の垂直配置は、ループ１２６の上にある。一般に、枕１００がヘッドレストに固定されるとき、ユーザはそれに下向きの力を加える。枕本体１０２は、通常、ユーザの肩によって支持されるため、ループ１２６の上に取り付け点１１８を配置することは、枕本体１０２の望ましくない動きの量を制限する助けとなり得る。しかしながら、図示された実施形態では、取り付け点１１８は本体１０２の頂部に示され、ループ１２６は本体１０２の底部に示されているが、逆の場合もあり、取り付け点１１８は本体１０２の底部にループ１２６があり得、一方ループ１２６は本体１０２の頂部にあり得る（又は、一般に、ループ１２６は取り付け点１１８の上にあることができる）ことが理解される。
【００３１】
[0051]  取り付け点１１８又は補助的デバイス１２８が枕本体１０２に連結される点などの、枕本体１０２へのデバイスの取り付けは、カバー１０２の継ぎ目にあり得、及び／又は縫い付け又は縫製により達成されることができる。追加の縫い付け／縫製補強、より太い糸、及び／又はバータック補強は、カバー１０３の他の継ぎ目又はエリアと比較して、取り付け点（取り付け点１１８など）で適用され得る。カバー１０３の継ぎ目での取り付け点１１８及び／又はループ１２６の配置は、これらのエリアが容易に補強されることができ、したがって、製造の単純さを維持しつつ取り付け点及び／又はループが裂ける可能性を低減するという点で有益であり得る。前述のように、図示されるような、本体１０２の頂部及び底部以外の取り付け点１１８及びループ１２６についての配置が可能である。
【００３２】
[0052]  アンカー機構１１２は、枕１００の提供者を識別するために、又は他の情報を提供するために使用されることができるタグ１３４を含むことができる。いくつかの実施形態では、タグ１３４は、アンカー機構本体１２０の端部に巻き付けられ、次いで縫い付けなどによって取り付けられ得る。一方、示された実施形態では、タグ１３４の一部分は、アンカー機構本体１２０と留め具１２２ｂとの間に挟まれ得る。次いで、タグ１３４は、縫い付けなどによってこの位置に取り付けられることができる。これは、剛性が低い状態でタグ１３４が機能し得、ユーザが偶然タグ１３４にユーザに触れた場合のユーザへの不快感を減らすという利点がある。本開示によるタグは、例えば、取り付けられたとき、１／８インチから１インチ、又は１／４インチから３／４インチ、又は約１／２インチの長さであり得る（単一層として、又は、例えば１インチの長さのタグを形成するように半分に折り曲げられた１インチの長さの材料として）。
【００３３】
[0053]  図３は、脚部１０６を互いにまとめる又は近づけるために、例えば米国特許第９，６３５，９６２号及び米国特許出願公開第２０１７／００８６６０７号に記載されているもののような、２つの引き紐半体１４０及びシンチ機構又は留め具（本明細書では単に「シンチ機構」と呼ばれる）などのベース部分１０２ａの両方の前端から伸びる引き紐半体１４０を備えた枕１００の正面図を示す。引き紐半体１４０は、ベース部分１０２ａの一方の前端からベース部分１０２ａの他方の前端まで枕１００を包んでいる、単一ユニットの部分であり得る。いくつかの実施形態では、引き紐半体１４０は、各々がベース部分１０２ａの一部のみを包むか、そうでなければ、ベース部分１０２ａ及び／又はカバー１０３などの枕本体１０２に取り付ける２つの別個のユニットである。引き紐半体１４０は、枕をユーザの首の周囲に固定するために締め付けられることができ、いくつかの実施形態では、枕本体の脚部がユーザの首の前で互いに接するようにすることができる。いくつかの実施形態では、引き紐半体は、締め付けた後の引き紐半体１４０及びシンチ機構１４２の位置を調整及び維持するために、Sternlightに付与された米国特許第９，６３５，９６２号、又はWong他に付与された米国特許出願公開第２０１７／００８６６０７号に記載されているもののようなシンチ機構１４２の一部分に各々取り付けられることができる。シンチ機構１４２は、機械的及び／又は磁気的接続を介してなど、互いに接続する２つの半体又は部分を含むことができる。シンチ機構１４２は、同様の機構のように、本開示の任意の実施形態で使用され得る。
【００３４】
[0054]  アンカー機構１１２がヘッドレストなどの物体と係合し、シンチ機構が締め付けられるとき、枕１００は、ユーザの体が前に倒れるのを防ぐことができる。例えば、ユーザのあごは、枕本体の脚部と接し（encounter）得る。固定されていない場合、ユーザとともに単に前方に倒れ得る枕本体の脚部と枕の残りの部分とは、アンカー機構１１２によって供給されるヘッドレストへの取り付けによって比較的適所に保持されることができる。そのため、ユーザの頭と体とが前に倒れるのを防ぐことができる。アンカー機構１１２が、シンチ機構を使用せずに、特定の場所にユーザの枕を固定し、横に倒れるのを防ぐのを助けるなどの追加の利点を有することが理解される。さらに別の利点は、取り付けられた場合、枕１００は、ユーザが例えば飛行機のキャビンなどで移動するために起きたときに、座席に取り付けられたままになることである。
【００３５】
[0055]  留め具接続部１２２ａ／１２２ｂ、取り付け点１１８、ループ１２６、ループ１２６と補助的連結デバイス１２８との間の連結、補助的連結デバイス１２８と枕本体１０２との間の連結などの本明細書で説明される連結は、閾力又は応力が加えられたとき、（機械的留め具の２つの半体などの）シンチ機構１４２などが安全目的のために解放及び／又は構造的に機能しなくなるように設計されることができる。
【００３６】
[0056]  カバー１０３は、図示されるように、その上部に開口部を含むポケット１０８を含むことができ、それはジッパー機構１１０を使用して開閉されることができる。いくつか例を挙げると、Ｖｅｌｃｒｏ（登録商標）、ボタン、スナップ、接着剤、及び紐（laces）によって提供されるもののような面留め具を含むが、これらに限定されない、他のタイプの取り付け機構が、ポケット１０８を開閉するために使用されることができる。ポケット１０８及びジッパー機構１１０は、カバー１０３の一部であり得る。ジッパー機構１１０は、ベース部分１０２ａと隆起部分１０２ｂとの間の接合部にほぼ沿って配置され、ほぼ水平に示されている。他の配置及び方向も可能である。いくつかの実施形態では、ジッパー機構１１０は、ベース部分１０２ａと湾曲部分１０２ｂとの間の接合部の下にある。他の実施形態では、ジッパー機構１１０は、ベース部分１０２ａと隆起部分１０２ｂとの間の接合部の上にある。ポケット１０８は、携帯電話、鍵、耳栓、及び／又はイヤホンなどのユーザの持ち物を保持することができる。いくつかの実施形態では、枕１００は複数のポケット１０８を有する。他の実施形態では、枕１００はポケット１０８を有さない。いくつかの実施形態では、枕は、ジッパー機構１１０のない１つ又は複数のポケットを有する。いくつかの実施形態では、ポケット１１０は、ポケット１１０内に仕切り及び／又はサブコンパートメントを有する。
【００３７】
[0057]  さらに、カバー１０３は、枕本体１０２のコアへのアクセスを可能にするためのジッパーを含むこともできる。例えば、図４に最もよく見られるように、カバー１０３は、開くことが可能なジッパー１５０を含むことができ、コアとカバー１０３とは、カバー１０３が別々に洗浄されることができるように互いに分離され得る。
【００３８】
[0058]  図９〜図１６は、アンカー機構１１２が開いているか又は取り付けられていない構成の枕１００を示している。アンカー機構本体１２４の端部に隣接する留め具１２２ｂは、留め具１２２ａに取り付けられていない。この開位置では、ユーザは、枕１００をヘッドレストの隣に配置し、次いで、ヘッドレスト又はヘッドレストの一部の周囲にアンカー機構１１２をループさせる及び／又は閉じることができる。タグ１３４は、留め具１２２ａ、１２２ｂが互いに結合されるようにアンカー機構本体１２０を位置決めする把持デバイスとして使用されることができる。
【００３９】
[0059]  図１８〜図２５及び図２６〜図３３は、実線で示される特定の機能の組み合わせとともに枕１００を示している。例えば、図１８〜図２５の枕１００’は、枕本体１０２’（カバーの有無にかかわらず）及びアンカー機構１０４’を含み、それらはアンカー機構本体１０６’、ループ１０８’、及び留め具１１０’（補助接続デバイス１２８’の有無にかかわらず）を含む。図２６〜図３３の枕１００”は、アンカー機構本体１０６”及び留め具１１０”を含む、枕本体１０２”とアンカー機構１０４”とを含む。本開示の実施形態は、本明細書に記載された追加の特徴の有無にかかわらず、及び他の追加の特徴の有無にかかわらず、これらの機能の組み合わせを含むことができることが理解される。さらに、これらの実施形態の１つ又は複数の要素が除かれることができ、又は別の同様に機能する要素又は別の要素と完全に置き換られることができることが理解される。多くの実施形態が可能である。
【００４０】
[0060]  図３４〜図４１は、米国特許第９，６３５，９６２号に記載されている旅行用枕のものと形状が類似している旅行用枕２００の実施形態を示している。旅行用枕２００は、旅行用枕１００に類似しており、形状記憶コアなどのコアを備えたカバー２８０を含む本体２０２を有することができる。本体２０２は、ベースクッション又はベース部分２０２ａ及び隆起したクッション又は隆起した部分２０２ｂを含むことができ、それらは一実施形態では互いに一体である。カバー２８０はカバー１０３とは異なるが、本実施形態の他の全ての要素及び特徴は、旅行用枕１００のものと類似するか又は同じであり得ることが理解される。
【００４１】
[0061]  カバー２８０は、様々な異なる材料及び材料の組み合わせからなり、異なる領域を含むことができる。示される特定の実施形態では、カバー２８０は、第１の材料の第１の領域２８０ａと、第１の材料とは異なる第２の材料の第２の領域２８０ｂ（線の陰影の代わりに点の陰影で示されている）を含む。この特定の実施形態では、第２の領域は、隆起クッション２０２ｂの頂部及び内面に実質的に対応し、一方、第１の領域はカバーの残りの部分に実質的に対応する。別の実施形態では、第２の領域は、隆起クッション２０２ｂに実質的に対応し、一方、第１の領域はベースクッション２０２ａに実質的に対応する。別の実施形態では、第２の領域は、ベース及び隆起クッション２０２ａ、２０２ｂの内面全体に実質的に対応し、一方、第１の領域は、カバーの残りの部分に実質的に対応する。別の実施形態では、第２の領域は、ベース及び隆起クッション２０２ａ、２０２ｂの内面全体、並びに隆起クッション２０２ｂの上面に実質的に対応し、一方、第１の領域は、カバーの残りに実質的に対応する。いくつかの実施形態では、第２の領域は、カバーエリア全体の５０％以下、又はカバーエリア全体の４０％以下、又はカバーエリア全体の３０％以下、又はカバーエリア全体の２５％以下である、又はカバーエリアの２０％以下、又はカバーエリアの１５％以下、又はカバーエリアの１０％以下である。いくつかの実施形態では、第２の領域は、カバーエリア全体の５％〜４５％、又はカバーエリアの１０％〜３０％である。多くの異なる領域の配置が可能であり、本開示による旅行用枕及びそのカバーは、単一の領域及び／又は材料のみを含むことができ、又は３つ以上の領域及び／又は材料を含むことができることがさらに理解される。
【００４２】
[0062]  第１の領域及び第２の領域を含む多くの異なる材料がカバーのために可能である。例えば、布、ポリエステル、綿、混紡、ベロア、メッシュ、及びそれらの組み合わせなどの材料が可能である。本開示による複合カバー材料の一例は、銀繊維のような金属繊維などの低刺激性、抗菌性、及び／又は防臭技術を含むことができる。例えば、プラスチック繊維や複合繊維などの他の種類の繊維も可能である。本開示の実施形態で使用され得る金属繊維を含む複合材料のそのような一例は、銀繊維を使用するＮｏｂｌｅ Ｂｉｏｍａｔｅｒｉａｌｓから入手可能なＸＴ２（登録商標）材料である。そのような繊維は、いくつかの実施形態では、複合材料を形成するために、上述されるようなより従来的な材料である他のカバー材料と混合されることができる。例えば、１つの複合カバー材料は、約８０〜９９％の従来の材料（例えば、ポリエステル、綿など）、及び／又は重量で約１〜２０％の繊維材料（ＸＴ２シルバー繊維など）、又は約８５〜９７％の従来の材料、及び／又は約３〜１５％の繊維材料、又は約９０〜９５％の従来の材料、及び／又は約５〜１０％の繊維材料を含む。カバー材料のいくつかの実施形態は、１％以上の繊維材料、３％以上の繊維材料、５％以上の繊維材料、７％以上の繊維材料、又は１０％以上の繊維材料を含む。カバー材料のいくつかの実施形態は、２０％以下の繊維材料、１５％以下の繊維材料、１０％以下の繊維材料、７％以下の繊維材料、又は５％以下の繊維材料を含む。いくつかの実施形態は、約７％の繊維材料を含む。
【００４３】
[0063]  本開示によるカバーに利用される複合材料は、約２５〜２５０ｇ／ｍ２、又は約１００〜２００ｇ／ｍ２、又は約１２５〜１７５ｇ／ｍ２、又は約１４５ｇ／ｍ２、又は２５ｇ／ｍ２以上、又は５０ｇ／ｍ２以上、又は１００ｇ／ｍ２以上、又は１２５ｇ／ｍ２以上、又は３００ｇ／ｍ２以下、又は２５０ｇ／ｍ２以下、又は２００ｇ／ｍ２以下、又は１７５ｇ／ｍ２以下、又は１５０ｇ／ｍ２以下などの異なる密度を有することができる。多くの異なる実施形態が可能であり、上記の範囲及び数値の例は例示のみを目的としており、これらの範囲外の特性を有する材料も可能であることを理解されたい。
【００４４】
[0064]  他の材料も可能である。例えば、カバーの１つ又は複数の領域で使用され得る１つの材料は、Ｆａｙｔｅｘ社から入手可能なＤｒｉ−Ｌｅｘ（登録商標）であり、同様の材料も使用されることができる。そのような材料は、首周囲などのユーザの不快感を引き起こす可能性がある特定のエリアに熱や質量が集まるようにするのとは対照的に、カバーから熱と質量（例えば、水分）を逃がす及び／又はカバー全体にそれらを再分配することができる。具体的には、Ｄｒｉ−Ｌｅｘ Ｈｏｎｅｙｃｏｍｂ Ｐ材料は、この点でよく機能し得、当技術分野で知られている他のハニカム材料も同様に機能し得る。これらの材料は、例えば第１の領域２８０ａのような前述の第１の領域などの、前述の複合材料が使用される場所以外の領域で使用され得るか、又は第２の領域２８０ｂなどの第２の領域で使用され得る。
【００４５】
[0065]  上述されたもののような複合材料は、実質的にカバー全体、又は上述された第２の領域などの、カバーの１つの領域のみを構成することができる。例えば、１つの特定の実施形態では、図３３に示される第２の領域２８０ｂは、又は上述される他の第２の領域のうちの任意のものは、複合材料を含む。上述された第２の領域におけるこれらの複合材料の使用は、最終的にカバー２８０のにおいやバクテリアを広め得る細菌の元となり得る、ユーザの口の近くのエリアにおいて抗菌特性を提供できるため、特に有益であり得る。本明細書に記載される複合材料はまた、いくつかのより従来的な材料と比較して耐湿性吸上げ効果を有し得る。そのため、ユーザの口及び／又はユーザの首の近くのエリア（ユーザの首が枕に接する場所）における複合材料の使用は、病気を防ぎ、冷却効果を提供し、水分低減効果を提供するのに効果的であり得るが、一方、枕の他の領域は、コスト削減又は耐久性を提供するために、他の材料を使用することができる。同様に、上述されたハニカムスタイルの材料は、実質的にカバー全体、又は上述された第１の領域のうちの１つなどのカバーの１つの領域のみを作成するために使用されることができる（前述の複合材料の１つを用いて、例えば、対応する第２の領域を作成する）。
【００４６】
[0066]  加えて、図３３〜図４１に関して説明された異なる材料の概念は、他の枕本体でも利用することができる。例えば、図４９Ａ及び図４９Ｂの本体１２０２は、カバーを含むことができ、突出部１２０２ａ、１２０２ｂに対応するカバーの領域は、前述されたような第２の領域に対応し得、一方、他の要素（及びいくつかの実施形態では、カバーの残り）は、第１の領域に対応し得る。多くの異なる実施形態が可能である。
【００４７】
[0067]  多くの異なる材料は、本開示による枕の本体に対して、これらの枕がアンカー機構を含むか否かにかかわらず使用されることができる。アンカー機構を含む実施形態では、材料の種類は、アンカー機構とともに機能して、それらの間に安全な連結を提供することができる。図３３〜図４１Ｂに関して示され説明されたカバー、領域、材料、及び概念は全て、図１〜図３２に示される実施形態と組み合わせることができ、それらの実施形態が以下でさらに説明される。
【００４８】
[0068]  図４２は、座席１０のヘッドレスト１２に取り付けられた、本開示による旅行用枕４００の別の実施形態の背面斜視図である。ヘッドレスト１２はウィング１４を含む。旅行用枕本体４０２は、実質的にフラットな後壁４０４などのSternlight他に付与された米国特許第９，６３５，９６２号に記載されている多くの機能を含み得るが、本開示の実施形態が、Wong他に付与された国際公開第２０１５／１３８６５４号、及びWong他に付与された米国特許出願公開第２０１７／００８６６０７号に記載されたもののような、多くの異なるスタイルの旅行用枕本体を含み得ることを理解されたい。枕４００は、２つの垂直に配向されたアンカー機構本体４１０ａ、４１０ｂなどのアンカー機構本体からなる、又はそれらを含む１つ又は複数のアンカー機構を含むことができる。アンカー機構本体４１０ａ、４１０ｂは、ウィング１４にループさせることができ、それは、旅行用枕本体４０２の前方への移動を防ぐか又はその可能性を低くすることができる。旅行用枕本体４０２は、２つの引き紐半体のような、脚部１０６を互いにまとめる又は近づけるための機構と、米国特許第９，６３５，９６２号に記載されるもののような、本明細書で前述したもののような、及び図４９に示されるシンチ機構８２０のような、シンチ機構とを含み、以下で十分に説明される。よって、アンカー機構本体４１０ａ、４１０ｂがウィング１４と係合するとき、ユーザが前に倒れるのを防ぐか又はその可能性を低くし、脚部４０６が互いに一緒に又は近くに固定されるように旅行用枕本体４０２が配置されたとき、ユーザが前に倒れるのをさらに防ぐか又はその可能性を低くする。
【００４９】
[0069]  アンカー機構本体４１０ａ、４１０ｂは、多くの異なる材料からなり、多くの異なる形状をとることができる。アンカー機構本体４１０ａ、４１０ｂは、例えば、ストラップ、（図示されるような細長いストラップなど）、コード、紐、ロープ、又は当技術分野で知られている他の可撓性のある、剛性若しくは非剛性のデバイスであり得る。アンカー機構本体４１０ａ、４１０ｂは、図４３Ａ及び図４３Ｂに関して以下で説明されるように弾性であり得るか、又は非弾性であり得、布、コード、紐、ロープ、ナイロン、ポリコード、ゴム、ポリエステル、パラシュートコード、ウェビング、又は当該分野で知られている他のデバイス及び材料であり得る。アンカー機構本体４１０ａ、４１０ｂの各々は、２つの点４１２で枕本体４０２に取り付けられている。示された特定の例では、点４１２は後壁４０４のベース部分の頂部及び底部にあるが、これらの点は、（以下で説明される図４３Ａ及び図４３Ｂの実施形態に示されるように）枕本体の背面部の頂部及び底部などの多くの異なる位置にあることが理解される。加えて、単一の取り付け点又は３つ以上の取り付け点を含む、アンカー機構本体４１０ａ、４１０ｂの各々に対する２よりも少ない又は多い取り付け点が可能である。取り付け点４１２は、枕の背面にある必要はないが、枕本体４０２の側面又は移行部分などの他の場所にあることもできる。アンカー機構本体は、枕本体への単一の長いアタッチメントを含めることもできる。例えば、アンカー機構本体４１０ａ、４１０ｂの各々自体は、閉じたループの一部分が本体４０２に取り付けられた閉じたループ自体であってもよい。取り付けられた部分は、例えば、１／８インチ以上、１／４インチ以上、１／２インチ以上、３／４インチ以上、１インチ以上、又は１．５インチ以上、又はさらにより長くともよい。いくつかの実施形態では、アンカー機構本体は、１点、２点、又は３点以上で取り付けられた閉じたループであることができる。さらに、アンカー機構本体４１０ａ、４１０ｂの各々は、本体４０２の外側（本体カバーの外側表面など）、又は本体４０２の内側表面、例えば旅行用枕カバー又は旅行用枕本体のフォームコアの内側表面などに取り付けられることができる。アンカー機構本体４１０ａ、４１０ｂが閉じたループである一実施形態では、それらは（別の実施形態においても可能であるカバーの外側とは対照的に）カバーを通り抜けることができる。閉じたループのない実施形態もまたカバーを通り抜けることができる。１つの特定の実施形態は、縫い付けによって又は単一のストラップ／コードなどによって連結されるような、単一の取り付け点に連結される閉じたループを備えるアンカー機構本体を含む。多くの異なる実施形態が可能である。
【００５０】
[0070]  さらに、図４２の実施形態及び本明細書に示されるいくつかの他の実施形態は、実質的に垂直なアンカー機構本体を含み、図４５は実質的に水平なアンカー機構本体を含むが、他の配置も可能である。例えば、アンカー機構本体は、一実施形態ではそれらが互いに近くにあるか上部で互いに合わさり、別の実施形態では互いに近くにあるか下部で互いに合わさるように、斜めに配置されることができる。別の実施形態では、アンカー機構本体は互いに交差するか、又はＸ形状を形成する。異なるヘッドレスト形状に合わせて調整された多くの異なる実施形態が可能である。
【００５１】
[0071]  図４３Ａ及び図４３Ｂは、後壁５０４を含む本体５０２を備えた旅行用枕５００の別の実施形態を示す。枕５００は、２つのアンカー機構本体５１０ａ、５１０ｂを含む。示される特定の実施形態では、アンカー機構本体５１０ａ、５１０ｂは、図４３Ｂの５１０ａ’、５１０ｂ’で示される位置まで、又はそれを超えて引き伸ばされることができるように弾性であり、したがってループを形成するように構成される（この場合、開いたループ、本体５０２がループを閉じる役割を果たす）。よって、アンカー機構本体５１０ａ、５１０ｂの弾性は、例えば、図４２に示されるヘッドレストウィング１４のようなヘッドレストウィングの周囲に配置されたときに、アンカー機構本体５１０ａ、５１０ｂを自己締め付けさせることができる。アンカー機構本体５１０ａ、５１０ｂ及びそれによって形成されるループは、アンカー機構本体５１０ａ、５１０ｂがウィング１４などの別の物体と係合しているときよりも引き伸ばされない静止位置にあるとき、本体５０２に対して実質的に同一平面上にあり得る。静止位置にあるとき、アンカー機構本体５１０ａ、５１０ｂは、それらの平衡長さにおいて、引き伸ばされるか、少なくともわずかに引き伸ばされるか、少なくともわずかにたるむか、又はたるむことができる。静止位置にある間に少なくともわずかに引き伸ばされたアンカー機構本体５１０ａ、５１０ｂを備えた実施形態は、アンカー機構本体を本体５０２に対して実質的に同一平面上又はほぼ同一平面上に維持するのに役立ち、一方で、例えばウィング１４をループできるようにする伸張能力も提供する。それらの平衡長さ又はわずかにたるんでいる状態におけるアンカー機構本体５１０ａ、５１０ｂを備える実施形態は、アンカー機構本体を比較的同一平面上に近い状態に保ちつつ、材料の弾性を保持するのを助けることができる。
【００５２】
[0072]  アンカー機構本体５１０ａ、５１０ｂなどの本開示によるアンカー機構本体は、多くの異なる寸法のセットを有することができ、多くの異なる形状及び構成をとることができる。一実施形態では、図４３Ａに示される静止位置にあるとき、アンカー機構本体５１０ａ、５１０ｂの各々は、長さ約１インチから１０インチ、又は長さ約２インチから７インチ、又は長さ約３インチから５．５インチ、又は長さ約３．７５インチから４．７５インチ、又は長さ約４インチから４．５インチであり得る。アンカー機構の長さは、枕の高さの２５％以上、枕の高さの５０％以上、枕の高さの７５％以上、実質的な枕の高さ、又は枕の高さよりも長くなることができる。この長さは、図４３Ｂに示されるもののような、最大長さ約３インチから３０インチ、又は約４インチから２４インチ、又は約６インチから１８インチ、又は約７インチから１６インチ、又は約１２インチの伸張位置まで引き伸ばされることにより増加させることができる。アンカー機構本体５１０ａ、５１０ｂの各々は、約０．２５インチから４インチ、又は約０．５インチから３インチ、又は約１インチから２インチ、又は約１．５インチの幅を有することができる。上記の寸法範囲は、非弾性材料などの実質的に伸長しないアンカー機構本体にも適用できる。これらの範囲外の長さのアンカー機構本体が可能であることが理解される。本明細書に記載されたアンカー機構本体５１０ａ、５１０ｂ及び他のアンカー機構本体は、アンカー機構１１２に関して前述したのと同じ又は同様の距離で互いに離れて配置され得る。
【００５３】
[0073]  示された特定の実施形態におけるアンカー機構本体５１０ａ、５１０ｂの各々は、縫い付けなどによって２つの取り付け点５１２に取り付けられている。取り付け点５１２は、例えば、ヘッドレストウィングの周囲のアンカー機構本体５１０ａ、５１０ｂのループに関連する応力、及びユーザの頭や体が傾いたり、前に倒れたりすることに関連する応力に耐える際に補助することができるバータック補強（図中の「ｘ」マークによって示される）を含むことができる。取り付け点５１２は、旅行用枕本体の継ぎ目（カバーの継ぎ目など）にあってもよく、これは強度及び製造の容易さを補助し得る。
【００５４】
[0074]   旅行用枕５００の要素を備えた旅行用枕１００の要素などの、本明細書に記載された実施形態からの要素の組み合わせが可能である。例えば、旅行用枕５００は、旅行用枕本体５０２に恒久的に取り付けられるアンカー機構本体５１０ａ、５１０ｂを含むが、代替の実施形態では、アンカー機構本体５１０ａ、５１０ｂの各々の一端のみが永久的に取り付けられ、一方、その他のものは取り外し可能に取り付けられるか、又は取り外し可能である。例えば、旅行用枕５００は、下部取り付け点５１２の各々に留め具構成要素（フック及びループ留め具の一部など）を含むことができ、一方、アンカー機構本体５１０ａ、５１０ｂの各々は、その長さに沿って、及び上部取り付け点５１２から遠位にある、対応する留め具構成要素（フック及びループ留め具の一部など）を含むことができる。よって、アンカー機構本体５１０ａ、５１０ｂは、ヘッドレストウィングの周囲に巻き付けられ、次いで、下部取り付け点５１２における留め具構成要素で旅行用枕本体に再取り付けされ得る。他の実施形態、例えば、逆（アンカー機構本体が底部取り付け点でのみ永久的に取り付けられ、頂部取り付け点に取り外し可能に取り付けられる場合）又はアンカー機構本体が取り外し可能に取り付けられるだけの場合が可能である。アンカー機構本体は、ヘッドレストウィングの周囲を締め付けるように弾性であることができる、又は本明細書に記載された他の実施形態に関して記載されたもののような別の締め付け機構を含むことができる。
【００５５】
[0075]  他のタイプの取り付け及び補強はまた、単独で、又は縫いつけ、縫製、のり又はエポキシなどの接着剤、リベット、スナップ、並びに他の取り付け及び補強機構を含む様々な組み合わせでも可能である。一実施形態では、スナップ、バックル、又は同様に機能する連結が使用され、特定の閾力で本体５０２から、５１０ａ、５１０ｂからのアンカー機構本体の切り離しを提供することができ、これはユーザの安全性を高める手段として使用されることができる。スナップ、バックル、又は同様のデバイスはまた、ある特定の閾力が満たされた際に、枕本体５０２及びアンカー機構本体５１０ａ、５１０ｂの切り離し、及び／又はヘッドレストからのアンカー機構本体５１０ａ、５１０ｂの切り離しを提供するために、アンカー機構本体５１０ａ、５１０ｂの他の部分において使用されることができる。スナップ又はバックルに加えて、又はその代わりに、枕本体からアンカー機構を切り離すため、及び／又はヘッドレストからアンカー機構を切り離すための他の多くのタイプの切り離し機構が可能である。
【００５６】
[0076]  旅行用枕１００及び旅行用枕本体１０２と同様に、旅行用枕本体５０２は、ジッパー開口部を備えたカバー及びコアを含むことができる。例えば、図４３Ａ及び図４３Ｂに示されている旅行枕本体２０２は、本体５０２の底部にジッパー開口部５０６を含む。ジッパー開口部５０６及び適用可能な取り付け点５１２は、ジッパー開口部５０６の上に取り付け点５１２を備えた、同じ継ぎ目に配置されることができる。同様に、図４４Ａ及び図４４Ｂの枕６００は、ジッパー開口部６０６などの開口部を含み、このケースでは、アンカー機構本体６１０ａ、６１０ｂの上部取り付け点に示される。そのような実施形態では、開口部は、同じ継ぎ目における取り付け機構６１０ａ、６１０ｂの上にあり得る。
【００５７】
[0077]  弾性に加えて、又は弾性の代わりに、他の締め付け機能が利用され得る。例えば、Sternlightに対する米国特許第９，６３５，９６２号、及び／又はシンチ機構８２０（図４９に関して以下により詳細に説明する）に記載されている引き紐機構とともに使用されるものと同様の又は同じ留め具締め付け機構又はシンチ機構が使用され得る。図４４Ａ及び図４４Ｂに示される旅行用枕６００は、枕本体６０２と、シンチ機構６２０を使用して締め付けられ得るアンカー機構本体６１０ａ、６１０ｂとを含む。図示される特定の実施形態では、アンカー機構本体６１０ａ、６１０ｂは紐又はコードであり、場合によっては、実質的に円形の断面を有することができる。多くの異なる実施形態が可能である。アンカー機構本体６１０ａ、６１０ｂは、例えば、コード、紐、ロープ、ストラップ、ウェビング、ナイロン、又はシンチ機構６２０の機能を可能にするように配置された他の同様のデバイスであり得る。多くの異なるタイプのシンチ機構も可能である。例えば、カム又はラダーロックスタイルのデバイス（図４７Ａ及び図４７Ｂに関して以下で説明する）などの他の締め付け及びシンチ機構が可能である。
【００５８】
[0078]  図４４Ａ及び図４４Ｂの実施形態では、ユーザは、シンチ機構６２０を通してアンカー機構本体６１０ａ、６１０ｂを引っ張ることができる。各アンカー機構本体に対して１つ、２つ、又はそれ以上のシンチ機構が可能である。アンカー機構本体６１０ａ、６１０ｂの動作可能な長さを短くするために、それらは、テール部６６２ａ、６６２ｂの全長を増加させ、動作可能な長さを減少させるように、シンチ機構６２０を通して引っ張られる。同様に、アンカー機構本体６１０ａ、６１０ｂは、テール部６６２ａ、６６２ｂの全体の長さを短くするようにシンチ機構６２０を通して引っ張られることができるため、アンカー機構本体６１０ａ、６１０ｂ全体の動作可能な長さが増加する。このようにして、アンカー機構本体６１０ａ、６１０ｂは、例えば、ヘッドレスト１２のウィング１４の周囲に配置され、次いで（動作可能な長さを短くすることにより）締め付けられることができる。
【００５９】
[0079]  一実施形態では、アンカー機構本体６１０ａ、６１０ｂの各々は、全長（例えば、アンカー機構によって形成されるループの周囲の、図４４Ａ及び図４４Ｂに示されるような任意のテール部分を含む、ある取り付け点から第２の取り付け点までの全長）約６インチから４８インチ、又は長さ約８インチから３６インチ、又は長さ約１０インチから３０インチ、又は長さ約１２インチから２０インチ、又は長さ約１６インチであり得る。いくつかの実施形態では、アンカー機構本体６１０ａ、６１０ｂの各々は、６インチ以上、１２インチ以上、又は１６インチ以上であり得、いくつかの実施形態では、アンカー機構本体６１０ａ、６１０ｂの各々は、３０インチ以下、又は２４インチ以下、又は２０インチ以下、又は１６インチ以下であり得る。これらの長さは、場合によっては、例えば、アンカー機構本体６１０ａ、６１０ｂが弾性材料からなる場合、増加させることができる。これらの範囲外の長さも可能であることが理解される。本明細書に記載されたアンカー機構本体６１０ａ、６１０ｂ及び他のアンカー機構本体は、アンカー機構本体１２０に関して前述したのと同じ又は同様の距離で互いに離れて配置され得る。
【００６０】
[0080]  図４２〜４４Ｂの実施形態は、２つの垂直に配向されたアンカー機構本体を示しているが、他の実施形態も可能である。例えば、図４５は、本体７０２及び水平に配向されたアンカー機構７１０を含む旅行用枕７００を示す。アンカー機構７１０は、ヘッドレスト全体又はヘッドレスト部分、例えば、（下向き矢印で示されるように、アンカー機構７１０が図４５に示される位置から下方に移動できるとき）ウィング１４の角などのウィング１４にループさせることができる。アンカー機構７１０は、アタッチメント７１２で連結されることができ、その領域は、例えば、ジッパー開口部又は他のタイプの開口部も含むことができる。別の実施形態では、アンカー機構７１０は、本体のカバーの内側で本体７０２に取り付けられ、ユーザが望むとき本体７０２のカバー内にそれが格納され得る（又は、カバーの外側に取り付けられる場合、その部分がカバー内に格納され得る）ことを意味する。アンカー機構７１０はまた、アンカー機構７１０の動作可能な長さを増加／減少させるために（及びそれに対応してテール部７６２の長さを減少／増加させるために）使用され得るシンチ機構７２０を含む。図４３Ａ及び図４３Ｂに関して上述されたアンカー機構本体５１０ａ、５１０ｂと実質的に同様の弾性機構を含む、多くの異なる様々なものが可能であることが理解される。
【００６１】
[0081]  アンカー機構７１０は、いくつかの実施形態では、長さ約１２インチから６０インチ、又は長さ約１８インチから４２インチ、長さ約２４インチから４０インチ、又は長さ約３２インチであり得る。いくつかの実施形態では、アンカー機構７１０は、約１２インチ以上、又は約１８インチ以上、又は約２４インチ以上、又は約３２インチ以上であり得る。いくつかの実施形態では、アンカー機構７１０は、約６０インチ以下、又は約４２インチ以下、又は約３６インチ以下、又は約３２インチ以下であり得る。これらの範囲外のアンカー機構の長さを備えた実施形態が可能であることが理解される。
【００６２】
[0082]  図４６Ａは、アンカー機構を含む旅行用枕８００のさらに別の実施形態を示す。この実施形態では、本体８０２は１つ又は複数のループ８３０を含む。この特定のケースでは、本体８０２は、アンカー機構ごとに２つの、４つのループ８３０を含む。任意の数のループを備えた実施形態が可能であることが理解される：例えば、合計又はアンカー機構ごとに１つのループ、合計又はアンカー機構ごとに２つのループ、合計又はアンカー機構ごとに３つのループ、合計又はアンカー機構ごとに４つのループ、又はそれ以上の数の実施形態が全て可能である。ループ８３０は、例えば、布、コード、紐、ロープ、ナイロン、ポリコード、ゴム、弾性ゴム、ポリエステル、パラシュートコード、ウェビング、又は当技術分野で知られている他のデバイス及び材料であり得、アタッチメント８３２によって示される要素に縫い付けられているような、旅行用枕カバー又は旅行用枕カバーとは異なる要素に統合されることができる。ループ８３０などのループは、旅行用枕カバーと同じ材料であっても、異なる材料であってもよい。例えば、ある特定の実施形態では、それらは、旅行用枕カバーの材料よりも裂けたり破れたりする可能性が低い構造的に強い材料であり得る。
【００６３】
[0083]  図４６Ｂに示されるように、旅行用枕８００’は、ループ８３０を通ることができるアンカー機構本体８５０を含むことができる。アンカー機構本体８５０は、例えば、ストラップであり得、場合によっては、ループを閉じる機能を提供するためのフック及びループ部分のような留め具を含むことができる。接着剤の粘着部などの他の留め具が可能である。さらに、ループを閉じるように機能する他のデバイス（スナップ、バックル、同様のデバイスなど）と同様に、他のタイプの留め具も可能である。アンカー機構本体８５０は、上述のアンカー機構本体６１０ａ、６１０ｂ又はアンカー機構本体７１０ａと同様の若しくは同じ寸法を有することができる。前述のもののような、他の材料及びデバイスがアンカー機構本体に利用され得ることが理解される。
【００６４】
[0084]  図４７Ａ及び図４７Ｂは、アンカー機構を含む旅行用枕９００のさらに別の実施形態を示しており、図４７Ａは、ヘッドレスト１２のウィング１４について比較的緩い構成のアンカー機構本体９１０ａ、９１０ｂを備えた旅行用枕９００を示し、図４７Ｂは、比較的きつい構成のアンカー機構本体９１０ａ、９１０ｂを示している。枕９００は、アンカー機構本体９１０ａ、９１０ｂの動作可能な長さを調整するために、アンカー機構本体９１０ａ、９１０ｂに動作可能に取り付けられた調整デバイス９６０を含む。この実施形態では、調整デバイス９６０は、標準的なバックパック上のストラップの動作可能な長さを調節するために使用されるもののような、ラダーロックとして示されている。ラダーロックの代わりに、又はラダーロックとともに多くの異なるタイプの調整デバイスが使用されることができ、ラダーロックなどの調整デバイスは、図１の旅行用枕を含むがこれに限定されない、本開示の任意の実施形態で使用され得ることが理解される。
【００６５】
[0085]  アンカー機構本体９１０ａ、９１０ｂは、弾性又は非弾性などであり、布、コード、紐、ロープ、ナイロン、ポリコード、ゴム、ポリエステル、パラシュートコード、ウェビング、又は当該分野で知られている他のデバイス及び材料、若しくはそれらの組み合わせからなるもののような、前述のアンカー機構本体と同様の又は同じものであり得る。加えて、調整デバイス９６０は、アンカー機構本体９１０ａ、９１０ｂとともに機能する。アンカー機構本体９１０ａ、９１０ｂの一方の部分を調整デバイス９６０の一方に通して引くことにより、アンカー機構本体９１０ａ、９１０ｂの一方又は両方のテール部９６２ａ、９６２ｂが形成され得る。テール部９６２ａ、９６２ｂは、動作可能な長さのアンカー機構本体９１０ａ、９１０ｂの一部分を形成せず、このように、アンカー機構本体９１０ａ、９１０ｂが締め付けられるように、これらの動作可能な長さを減少させる（及びテール部の長さが増加する）。これは、例えばウィング１４の周囲に、よりきつくフィットする結果となる。よって、ユーザは、アンカー機構本体９１０ａ、９１０ｂの動作可能な長さを、ヘッドレスト又はウィングなどのヘッドレスト部分についての快適なきつさ又はフィット感に調整することができる。さらに、アンカー機構本体９１０ａ、９１０ｂと調整デバイス９６０との組み合わせは、特定の閾力が適用されたとき（ユーザの頭又は体の前方への移動や、アンカー機構本体自体に対する張力によって適用されるような）に緩むように構成されることができ、これはユーザの安全を支援し得る。
【００６６】
[0086]  アンカー機構本体９１０ａ、９１０ｂは、他の実施形態に関して上述したように、任意の数の位置で枕本体９０２に取り付けられることができる。示された特定の実施形態では、アンカー機構本体９１０ａ、９１０ｂは、枕本体９０２の実質的に頂部にある頂部取り付け点９１２、及び枕本体９０２の実質的に底部にある底部取り付け点９１２を備えた、頂部及び底部取り付け点９１２で枕本体９０２に各々取り付けられる。しかしながら、前述のように、取り付け点９１２の多くの異なる配置（例えば、アンカー機構ごとに１つの取り付け点のみ、アンカー機構ごとに連続した取り付け点、又はアンカー機構ごとに３つ以上の取り付け点を備え配置を含む）が可能である。アンカー機構本体９１０ａ、９１０ｂは、上述のアンカー機構本体６１０ａ、６１０ｂ又はアンカー機構本体７１０ａと同様の若しくは同じ寸法を有することができる。
【００６７】
[0087]  図４８Ａ及び図４８Ｂは、アンカー機構を含む旅行用枕１０００のさらに別の実施形態を示しており、図４８Ａは、（ウィング部１４を含むがこれに限定されない）ヘッドレスト１２などのシートバック１０に取り付けられたアンカー機構本体１０１０ａ、１０１０ｂを備えた旅行用枕１０００を示し、図４８Ｂは、枕１０００の背面斜視図を示す。アンカー機構本体１０１０ａ、１０１０ｂは、アンカー機構本体を形成するために使用されるデバイス及び材料に関して前述のアンカー機構本体のものと同様又は同じであり得、前述の連結ポイントと実質的に類似する又は同じであり得る連結点１０１２において枕本体１００２に連結され得る。
【００６８】
[0088]  アンカー機構本体１０１０ａ、１０１０ｂの各々は、一端で連結されるなど、取り付け機構１０７０のうちの１つのような取り付け機構に連結され得る。取り付け機構１０７０は、例えば、クリップスタイル機構、把持機構、バネ式機構、バネ付勢機構などの付勢機構、フック機構、又は当技術分野で知られている他のスタイルの取り付け機構であり得る。取り付け機構１０７０は、ヘッドレスト１２にクリップ留め、把持、又は他の方法で連結されているものとして図４８Ａに示されており、一方、取り付け機構１０７０は、静止位置で図４８Ｂに示されている。示された特定の静止位置では、クリップ部分１０７４は閉じた状態で示されているが、他の実施形態では、これらのクリップ部分１０７４は完全に閉じずに隙間が残る場合があることが理解される。
【００６９】
[0089]  図示される特定の実施形態では、アンカー機構本体１０１０ａ、１０１０ｂの各々は、取り付け機構１０７０のうちの１つの一方の脚部１０７２に連結されるが、アンカー機構は、脚部１０７２のうちの２つへの、又は取り付け機構の別の部分又は複数の部分への連結などの別の方法で取り付け機構に連結され得ることが理解される。さらに、アンカー機構本体１０１０ａ、１０１０ｂは、各々が１つの取り付け点１０１２のみで枕本体１００２に連結されるように示されており、その取り付け点１０１２は枕本体１００２の頂部にある。しかしながら、単一の取り付け点１０１２は他の場所に配置することができることが理解され、さらに他の実施形態ではアンカー機構ごとに複数の取り付け点が使用され得ることが理解される。
【００７０】
[0090]  図４８Ａ及び図４８Ｂに示されるもののようなアンカー機構の使用は、特に短時間ユーザに対して適用可能であり得る。取り付け機構１０７０の使用は、ユーザが取り付け機構１０７０をユーザの頭に対してより高い高さに配置することを可能にし、ここで、いくつかの他のスタイルのアンカー機構は、比較的背の高い人によって使用されるとき、ヘッドレストに連結することが可能であり得る。ユーザは、ウィングの頂部、ウィングの底部、ウィングの側面、又はウィングに対応しないヘッドレストの領域を含む、ヘッドレスト上の多くの異なるエリアにアンカー機構を連結することができる。さらに、実質的に枕本体１００２の頂部にある取り付け点１０１２などの、１つの取り付け点のみで連結されたアンカー機構本体１０１０ａ、１０１０ｂの使用は、アンカー機構本体１０１０ａ、１０１０ｂが他のアンカー機構によって到達できない可能性がある高さに到達することも可能であり得る。枕本体から取り付け機構までのアンカー機構の長さは、例えば、約０．５インチから約１８インチ、又は約１インチから約１２インチ、又は約２インチから約１０インチ、又は約３インチから約８インチ、又は約４インチから約７インチであり得る。枕本体から取り付け機構までのアンカー機構の長さは、いくつかの実施形態では、例えば、約０．５インチ以上、又は約１インチ以上、又は約２インチ以上、又は約３インチ以上、又は約４インチ以上、又は約６インチ以上、又は約８インチ以上、又は約１０インチ以上、又は約１２インチ以上であり得、いくつかの実施形態では、約１２インチ以下、又は約１０インチ以下、約８インチ以下、又は約６インチ以下、又は約４インチ以下であり得る。さらに、調整デバイス６６０又は他の調整デバイスなどの調整デバイスは、上記範囲内のいずれかで動作可能な長さを調整するなどの、アンカー機構本体１０１０ａ、１０１０ｂの長さを調整するために使用されることができる。
【００７１】
[0091]  さらに、取り付け機構１０７０は、ある特定の閾力で、又はアンカー機構本体１０１０ａ、１０１０ｂがある特定の伸長状態にあるときに、ヘッドレスト１２から解放するように構成されることができる。他の切り離しデバイスもまた使用され得る。さらに、本明細書で説明される全ての実施形態と同様に、アンカー機構本体１０１０ａ、１０１０ｂは、枕本体１００１から取り外し可能であり得る。さらに、取り付け機構１０７０は、アンカー機構本体１０１０ａ、１０１０ｂから取り外し可能であり得る。
【００７２】
[0092]  １つの代替的な実施形態では、取り付け機構１０７０の代わりにループ（ストラップの形状を成すループなど）が使用され得、ループの動作可能な長さは、ヘッドレストウィングに締め付けられるように調整可能である。多くの異なる実施形態が可能であり、これらの範囲外の寸法を有するアンカー機構本体が可能であることが理解される。
【００７３】
[0093]  前述のように、本開示の態様を含む実施形態は、様々な異なるスタイルの枕本体で利用されることができる。例えば、図４９Ａ及び図４９Ｂは、枕本体１２０２を含む、本開示の一実施形態による枕１２００の背面図及び側面図を示す。枕本体１２０２は、同一譲受人に譲渡されたWong他に付与された国際公開第２０１５／１３８６５４号、及びWong他に付与された米国特許出願公開第２０１７／００８６６０７号に記載されたものと実質的に同様又は同じであり得、それら各々は、その全体が参照により本明細書に十分に組み込まれており、Ｃａｂｅａｕ社から入手可能なＥｖｏｌｕｔｉｏｎ Ｃｏｏｌ（登録商標）旅行用枕の本体と実質的と同様又は同じである。枕１２００は、アンカー機構本体１２１０ａ、１２１０ｂを含むことができる。示される特定の実施形態では、アンカー機構本体１２１０ａ、１２１０ｂは、アンカー機構本体５１０ａ、５１０ｂと同様であり、例えばヘッドレストウィングの周囲に配置される、枕本体１２０２から引き離すことができる弾性ストラップ（図４９Ｂの位置１２１０ａ’によって示されるような）であり得る。アンカー機構本体１２１０ａ、１２１０ｂは、アンカー機構本体２１０ａ、２１０ｂと同じ特徴の全て又はいくつかを有することができる。加えて、これに限定されるものではないが、図１〜図１６のアンカー機構１１２ａ、１１２ｂなどの前述のアンカー機構、図３Ａ及び図３Ｂのアンカー機構本体３１０ａ、３１０ｂを備えたアンカー機構、図５Ａ及び図５Ｂを参照して説明されたループ及びアンカーシステム、又は図６Ａ及び図６Ｂのアンカー機構本体６１０ａ、６１０ｂを備えたアンカー機構のうちのいずれかが、枕本体１２０２と共に利用され得ることが理解される。
【００７４】
[0094]  加えて、図８に関して説明された異なる材料の概念は、他の枕本体でも利用され得る。例えば、本体１２０２はカバーを含むことができ、突出部１２０２ａ、１２０２ｂは、前述のように第２の領域に対応し、一方、本体１２０２上のカバーの残りは第１の領域に対応し得る。多くの異なる実施形態及び領域配置が可能である。
【００７５】
[0095]  任意の１つの実施形態からの様々な属性及び要素もまた他の実施形態に含まれ得ることが理解される。本開示は、ある特定の好ましい構成を参照して詳細に説明されてきたが、他のバージョンも可能である。本開示の実際の範囲は、開示された実施形態だけでなく、本開示を実施又は実装する全ての同等の方法も包含する。本開示の実施形態の上述された詳細な説明は、網羅的であること、又は本開示を上記で開示された正確な形態又は本開示で言及された特定の使用分野に限定することを意図しない。本開示の特定の実施形態及び例は、例示の目的で上述されているが、当業者が認識するように、本開示の範囲内で様々な同等の修正が可能である。上述の様々な実施形態の要素及び動作は、さらなる実施形態を提供するために組み合わせられ得る。さらに、本明細書で提供される開示の教示は、旅行用枕以外の製品及びシステムに適用されてもよい。
【図１】
2020527097.tif 000003
【図２】
2020527097.tif 000004
【図３】
2020527097.tif 000005
【図４】
2020527097.tif 000006
【図５】
2020527097.tif 000007
【図６】
2020527097.tif 000008
【図７】
2020527097.tif 000009
【図８】
2020527097.tif 000010
【図９】
2020527097.tif 000011
【図１０】
2020527097.tif 000012
【図１１】
2020527097.tif 000013
【図１２】
2020527097.tif 000014
【図１３】
2020527097.tif 000015
【図１４】
2020527097.tif 000016
【図１５】
2020527097.tif 000017
【図１６】
2020527097.tif 000018
【図１７Ａ】
2020527097.tif 000019
【図１７Ｂ】
2020527097.tif 000020
【図１８】
2020527097.tif 000021
【図１９】
2020527097.tif 000022
【図２０】
2020527097.tif 000023
【図２１】
2020527097.tif 000024
【図２２】
2020527097.tif 000025
【図２３】
2020527097.tif 000026
【図２４】
2020527097.tif 000027
【図２５】
2020527097.tif 000028
【図２６】
2020527097.tif 000029
【図２７】
2020527097.tif 000030
【図２８】
2020527097.tif 000031
【図２９】
2020527097.tif 000032
【図３０】
2020527097.tif 000033
【図３１】
2020527097.tif 000034
【図３２】
2020527097.tif 000035
【図３３】
2020527097.tif 000036
【図３４】
2020527097.tif 000037
【図３５】
2020527097.tif 000038
【図３６】
2020527097.tif 000039
【図３７】
2020527097.tif 000040
【図３８】
2020527097.tif 000041
【図３９】
2020527097.tif 000042
【図４０】
2020527097.tif 000043
【図４１】
2020527097.tif 000044
【図４２】
2020527097.tif 000045
【図４３Ａ】
2020527097.tif 000046
【図４３Ｂ】
2020527097.tif 000047
【図４４Ａ】
2020527097.tif 000048
【図４４Ｂ】
2020527097.tif 000049
【図４５】
2020527097.tif 000050
【図４６Ａ】
2020527097.tif 000051
【図４６Ｂ】
2020527097.tif 000052
【図４７Ａ】
2020527097.tif 000053
【図４７Ｂ】
2020527097.tif 000054
【図４８Ａ】
2020527097.tif 000055
【図４８Ｂ】
2020527097.tif 000056
【図４９Ａ】
2020527097.tif 000057
【図４９Ｂ】
2020527097.tif 000058
【国際調査報告】
2020527097.tif 000059